(57)【要約】【課題】外乱光による影響がある場合であっても簡易な方法で位置検出を可能とし、外乱光の影響による誤動作の割合を低減できるようにする。【解決手段】変調器５は、水晶振動子４が出力する発振信号のレベル（電流値）を所定のレベルにまで高くして強度変調信号を作成する処理を行う。マルチプレクサ２は、発光対象のＬＥＤ１１，１２を選択し、強度変調信号を出力する。ＬＥＤ１１，１２は、強度変調信号に基づいて発光する。検出器２１，２２は、受光した赤外線ビームを電気信号に変換して出力する。バンドパスフィルタ６は、その電気信号から強度変調信号の周波数の信号成分を通過させる。そして、ＣＰＵ１は、Ａ−Ｄ変換器７を介してバンドパスフィルタ６から有意な信号を入力したか否かにより、表示画面からの入力操作の有無を判定する。【選択図】図１
2008059123.tif 000002
【特許請求の範囲】
【請求項１】
表示部の一部に、Ｘ方向に複数のＸ方向発光素子が配列され、Ｙ方向に複数のＹ方向発光素子が配列され、複数のＸ方向受光素子が前記複数のＸ方向発光素子のそれぞれに対向して配列され、複数のＹ方向受光素子が前記複数のＹ方向発光素子のそれぞれに対向して配列され、
前記複数のＸ方向受光素子が対向しているＸ方向発光素子からの光の受光に応じて出力する電気信号および前記複数のＹ方向受光素子が対向しているＹ方向発光素子からの光の受光に応じて出力する電気信号にもとづいて表示部におけるタッチ位置を検出する検出手段を備えたタッチパネル装置において、
前記複数のＸ方向発光素子から発光される光および前記複数のＹ方向発光素子から発光される光に所定の周波数で強度変調を施すための処理を行う強度変調手段と、
前記複数のＸ方向受光素子が受光に応じて出力する電気信号および前記複数のＹ方向受光素子が受光に応じて出力する電気信号から前記所定の周波数の成分を抽出する周波数成分抽出手段とを備え、
前記検出手段は、前記周波数成分抽出手段が抽出した前記所定の周波数の成分にもとづいてタッチ位置を検出する
ことを特徴とするタッチパネル装置。
【請求項２】
強度変調手段は、水晶振動子が発生する発振信号にもとづく駆動信号を複数のＸ方向発光素子および複数のＹ方向発光素子に出力することによって強度変調を施し、
周波数成分抽出手段は、所定の周波数を含む周波数帯域の信号成分を通過させるバンドパスフィルタを含む
請求項１記載のタッチパネル装置。
【発明の詳細な説明】
【技術分野】
【０００１】
本発明は、タッチパネル装置に関し、特に光学式タッチパネル装置に関する。
【背景技術】
【０００２】
ＣＲＴやＬＣＤ（液晶ディスプレイ）等の表示画面に接触位置検出装置が装着された位置入力装置として、タッチパネル装置が知られている。タッチパネル装置を用いれば、タッチパネルに指や専用のペン等で触れることにより、コンピュータに指示を与えたり、情報を入力することができる。すなわち、タッチパネル装置は、表示画面を座標面として、指等で指示された位置の座標を検出することにより情報を入力可能な入力装置である。
【０００３】
タッチパネル装置において、表示画面上での指示位置を検出する方式には、縦方向と横方向の導線の接触位置を検出する抵抗膜方式や、縦方向と横方向の赤外線の遮断位置を検出する光学方式（赤外線遮断検出方式）等が知られている。光学方式によるタッチパネル装置は、高透過率、高信頼性、耐環境性に優れているため、ＡＴＭや券売機等に使用されている。いずれの方式による場合でも、表示画面上での指示位置を高精度に検出する必要がある。
【０００４】
図６は、赤外線遮断検出方式によるタッチパネル装置の構成例を示すブロック図である。図６に示すタッチパネル装置は、ＣＰＵ１と、マルチプレクサ２と、マルチプレクサ３と、ＣＲＴ等の表示部１０とを備える。
【０００５】
表示部１０の表示画面の縦方向の一辺には、一定間隔で複数のＬＥＤ（発光ダイオード）１１が設けられ、対向する辺にＬＥＤ１１と同数の検出器２１が設けられる。また、表示画面の横方向の一辺には、一定間隔で複数のＬＥＤ１２が設けられ、対向する辺にＬＥＤ１２と同数の検出器２２が設けられる。
【０００６】
ＬＥＤ１１は、対向する検出器２１に向けて、表示画面の横方向に所定の周期で赤外線ビームを発し、検出器２１は赤外線ビームを受光する。また、ＬＥＤ１２は、対向する検出器２２に向けて、表示画面の縦方向に所定の周期で赤外線ビームを発し、検出器２２は赤外線ビームを受光する。この場合、表示画面の縦方向に設けられた各ＬＥＤ１１は、所定の時間間隔で順次駆動して赤外線ビームを発光するように制御される。また、表示画面の横方向に設けられた各ＬＥＤ１２は、所定の周期で順次駆動して赤外線ビームを発光するように制御される。そして、指やペン等の遮光物体によって赤外線ビームが遮断され、検出器２１，２２が赤外線ビームを受光できなかった場合、赤外線ビームを受光できなかった検出器に対応する表示画面上の座標が入力座標（タッチポイント）として検出される。
【０００７】
ＣＰＵ１は、マルチプレクサ２，３を制御する機能を有する。また、ＣＰＵ１は、マルチプレクサ３によって出力された電気信号に基づいて遮光物体の有無を判断し、遮光物体によって指示された表示画面上の座標を検出する。
【０００８】
マルチプレクサ２は、ＬＥＤ１１，１２をそれぞれ所定の周期で順次選択し、選択したＬＥＤ１１，１２への入力信号を出力する。また、マルチプレクサ３は、マルチプレクサ２によって選択されたＬＥＤ１１，１２に対向する検出器２１，２２を順次選択し、選択された検出器２１，２２が赤外線ビームを受光したことを検出すると、検出信号（電気信号）をＣＰＵ１に出力する。
【０００９】
赤外線遮断検出方式によるタッチパネル装置では、太陽光等の外乱光が照射される場合、外乱光の赤外波長成分によって受光素子が飽和し、位置検出が不能となることがある。例えば、タッチパネル装置を搭載したＡＴＭや券売機などが屋外に設置されている場合や、西日時の太陽光が入りやすい環境にある場合には、太陽光等の外乱光の影響によって位置検出が不能となりやすい。
【００１０】
受光素子が外乱光の赤外波長成分による影響により飽和し検出不能になることを防止する光学式タッチパネルが提案されている（例えば、特許文献１参照）。特許文献１には、変調光ビームを使用し、受光した信号から変調された特定の周波数を取り出し、増幅、復調することにより、受光素子出力信号が得るように構成することが記載されている。
【００１１】
【特許文献１】特開平５−９４２５５号公報（段落００２４−００２９）
【発明の開示】
【発明が解決しようとする課題】
【００１２】
しかし、特許文献１に記載された方式では、外乱光による影響がある場合であっても、発光素子から変調光ビームを送信し受信側で復調して検出できるようにすることによって、タッチパネル上の位置検出を可能としている。しかし、変調光ビームを処理するために増幅器や復調器を設けなければならず、タッチパネル装置の構成が複雑となりコストがかかる。
【００１３】
そこで、本発明は、外乱光による影響がある場合であっても簡易な方法で位置検出を可能とし、外乱光の影響による誤動作の割合を低減できるタッチパネル装置を提供することを目的とする。
【課題を解決するための手段】
【００１４】
本発明によるタッチパネル装置は、表示部の一部に、Ｘ方向に複数のＸ方向発光素子（例えば、ＬＥＤ１２）が配列され、Ｙ方向に複数のＹ方向発光素子（例えば、ＬＥＤ１１）が配列され、複数のＸ方向受光素子（例えば、検出器２２）が複数のＸ方向発光素子のそれぞれに対向して配列され、複数のＹ方向受光素子（例えば、検出器２１）が複数のＹ方向発光素子のそれぞれに対向して配列され、複数のＸ方向受光素子が対向しているＸ方向発光素子からの光の受光に応じて出力する電気信号および複数のＹ方向受光素子が対向しているＹ方向発光素子からの光の受光に応じて出力する電気信号にもとづいて表示部におけるタッチ位置を検出する検出手段を備えたタッチパネル装置であって、複数のＸ方向発光素子から発光される光および複数のＹ方向発光素子から発光される光に所定の周波数で強度変調を施すための処理を行う強度変調手段（例えば、水晶振動子４と変調器５）と、複数のＸ方向受光素子が受光に応じて出力する電気信号および複数のＹ方向受光素子が受光に応じて出力する電気信号から所定の周波数の成分を抽出する周波数成分抽出手段（例えば、バンドパスフィルタ）とを備え、検出手段（例えば、ＣＰＵ１）は、周波数成分抽出手段が抽出した所定の周波数の成分にもとづいてタッチ位置を検出することを特徴とする。
【００１５】
例えば、強度変調手段は、水晶振動子が発生する発振信号にもとづく駆動信号を複数のＸ方向発光素子および複数のＹ方向発光素子に出力することによって強度変調を施し、周波数成分抽出手段は、所定の周波数を含む周波数帯域の信号成分を通過させるバンドパスフィルタを含む。
【発明の効果】
【００１６】
本発明によれば、タッチパネル装置において、所定の周波数で強度変調された光を受光して、所定の周波数成分を検出することにより入力操作の有無を検出することから、外乱光の強度が高い場合であっても座標位置を検出することができ、外乱光の影響による誤動作の割合を低減できる。また、本発明によれば、増幅器や復調器等を設けなくても、外乱光の影響を受けずに入力操作の有無を検出することができ、タッチパネル装置の構成の複雑化やコスト増を低減することができる。従って、外乱光による影響がある場合であっても簡易な方法で位置検出を可能とし、外乱光の影響による誤動作の割合を低減することができる。
【発明を実施するための最良の形態】
【００１７】
以下、本発明の実施の一形態を図面を参照して説明する。図１は、本発明によるタッチパネル装置の構成例を示すブロック図である。図１に示すように、タッチパネル装置は、ＣＰＵ１と、マルチプレクサ２と、マルチプレクサ３と、水晶振動子４と、変調器５と、バンドパスフィルタ６と、Ａ−Ｄ変換器７と、ＣＲＴ等の表示部１０とを備える。
【００１８】
表示部１０の表示画面の縦方向（Ｙ方向）の一辺には、一定間隔で複数のＬＥＤ１１が設けられ、対向する辺にＬＥＤ１１と同数の検出器２１が設けられる。また、各検出器２１は、それぞれ各ＬＥＤ１１と対向するように配置されている。また、表示画面の横方向（Ｘ方向）の一辺には、一定間隔で複数のＬＥＤ１２が設けられ、対向する辺にＬＥＤ１２と同数の検出器２２が設けられる。また、各検出器２２は、それぞれ各ＬＥＤ１２と対向するように配置されている。
【００１９】
ＬＥＤ１１，１２は、電気エネルギーを光に変換する発光素子であって、例えば、赤外ＬＥＤである。具体的には、ＬＥＤ１１，１２は、マルチプレクサ２からの入力信号に基づいて発光する。検出器２１，２２は、光を電気エネルギーに変換する受光素子であって、例えば、フォトトランジスタである。具体的には、検出器２１，２２は、ＬＥＤ１１，１２から発光された光を受光して電気信号に変換して出力する。
【００２０】
なお、ＬＥＤ１１，１２および検出器２１，２２は、表示部１０が収納されるケース等における４辺の周辺部（額縁部）に設けられている。
【００２１】
ＬＥＤ１１，１２は、マルチプレクサ２から入力信号を入力すると、赤外線ビームを発光する。この実施の形態では、ＬＥＤ１１は、対向する検出器２１に向けて、表示画面の横方向に所定の周期で赤外線ビームを発し、検出器２１は赤外線ビームを受光する。また、ＬＥＤ１２は、対向する検出器２２に向けて、表示画面の縦方向に所定の周期で赤外線ビームを発し、検出器２２は赤外線ビームを受光する。この場合、表示画面の縦方向に設けられた各ＬＥＤ１１は、所定の時間間隔で順次駆動して赤外線ビームを発光するように制御される。また、表示画面の横方向に設けられた各ＬＥＤ１２は、所定の周期で順次駆動して赤外線ビームを発光するように制御される。そして、指やペン等の遮光物体によって赤外線ビームが遮断され、検出器２１，２２が赤外線ビームを受光できなかった場合、赤外線ビームを受光できなかった受光素子に対応する表示画面上の座標（タッチポイント）が検出される。
【００２２】
ＣＰＵ１は、プログラムに従って動作し、各ＬＥＤ１１，１２や各検出器２１，２２の駆動制御を行う。具体的には、マルチプレクサ２を制御して入力信号を出力するＬＥＤ１１，１２を順に選択させる。また、ＣＰＵ１は、マルチプレクサ３を制御して受光検出対象の検出器２１，２２を順に選択させる。そして、ＣＰＵ１は、Ａ−Ｄ変換器７を経由したバンドパスフィルタ６からの信号に基づいて、表示画面上における遮光物体（例えば、指やペン）の有無を判断し、遮光物体によって指示された表示画面上の座標を検出する。
【００２３】
水晶振動子４は、自己共振周波数に基づいて、所定の発振信号を生成する素子である。水晶振動子４は、例えば、数ＭＨｚ〜数１０ＭＨｚの周波数の信号を生成する。
【００２４】
変調器５は、水晶振動子４が出力する発振信号のレベル（電流値）を所定のレベルにまで高くする処理を行う。なお、この実施の形態では、水晶振動子４が出力する発振信号のレベルを高くした変調器５の出力にもとづいてＬＥＤ１１，１２を発光させることを、強度変調を施すという。また、変調器５の出力を強度変調信号とも表現する。
【００２５】
受光側では、バンドパスフィルタ６を用いて検出器２１，２２からの検出信号から発振信号成分が取り出せるか否かを確認することによって、検出器２１，２２が受光した信号がＬＥＤ１１，１２から正規に発光されたものであるか、外乱光の影響によるものであるかを確認することができる。
【００２６】
マルチプレクサ２は、ＣＰＵ１の制御に従って、赤外線ビームを発光するＬＥＤ１１，１２を所定の周期で順次選択する。また、マルチプレクサ２は、変調器５によって強度変調された入力信号を、選択したＬＥＤ１１，１２に出力することによって、ＬＥＤ１１，１２に赤外線ビームを発光させる。また、マルチプレクサ３は、ＣＰＵ１の制御に従って、マルチプレクサ２によって選択されたＬＥＤ１１，１２に対向する検出器２１，２２を順次選択する。また、マルチプレクサ３は、選択した検出器２１，２２の検出信号（電気信号）をバンドパスフィルタ６に出力する。
【００２７】
図２は、入力信号および強度変調信号を説明するための説明図である。図２（ａ）は、各ＬＥＤ１１，１２を発光させるための信号（変調を施さないと仮定した場合の信号）の例を示す説明図である。
【００２８】
図２（ｂ）は、強度変調信号を示す説明図である。この実施の形態では、変調器５によって、数ＭＨｚ〜数１０ＭＨｚの周波数の発振信号が強度変調信号に変換される。なお、図２（ｂ）に示すような強度変調信号が入力されると、ＬＥＤ１１，１２は、強度変調信号のレベルにほぼ比例した強度で発光する。すなわち、ＬＥＤ１１，１２は、マルチプレクサ２を介して入力した強度変調信号（図２（ｂ）参照。）のレベル（電流値）に応じた強度の赤外線ビームを対向する検出器２１，２２に向けて発光する。
【００２９】
検出器２１，２２は、赤外線ビームを受光して電気信号に変換し、マルチプレクサ３に出力する。検出器２１，２２は、ＬＥＤ１１，１２からの赤外線ビームの受光量（強度）に応じた振幅の電気信号を出力する。この場合、強度変調信号に基づいてＬＥＤ１１，１２によって発光された場合には、検出器２１，２２は、強度変調された赤外線ビームを受光することになり、図２（ｃ）に示すように電流波形（図２（ｂ）に示す波形と相似形）の電気信号を出力する。
【００３０】
なお、表示画面上に遮断物体がない場合（すなわち、指等を用いた入力操作が行われていない場合）には、強度変調された入力信号に応じた電気信号が出力される。一方、表示画面上に遮断物体がある場合（すなわち、指等を用いた入力操作が行われている場合）には、ＬＥＤ１１，１２から発光された赤外線ビームが遮断されるので、検出器２１，２２から電気信号が出力されない。
【００３１】
ここで、検出器２１，２２が、太陽の西日等の外乱光を受光した場合には、受光した外乱光の強度および周波数に応じた電気信号が出力される。そのため、表示画面上に遮断物体があるか否か（指等を用いた入力操作が行われているか否か）にかかわらず、検出器２１，２２が赤外線信号を検出して電気信号を出力することになり、入力操作の有無を正しく認識できなくなってしまう虞がある。
【００３２】
この実施の形態では、ＬＥＤ１１，１２から強度変調信号による赤外線ビームが発光されるので、外乱光の影響がある場合であっても、検出した赤外線信号が強度変調された信号であるか否かを受光側で確認すれば、ＬＥＤ１１，１２から正規に発光された赤外線信号であるか否かを確認することができる。従って、外乱光の影響がある場合であっても、タッチパネルからの入力操作の有無を正しく認識することができる。なお、一般に、太陽の西日等の外乱光の周波数は低い。
【００３３】
バンドパスフィルタ６は、電気信号の特定の周波数成分を取り出すフィルタ回路である。バンドパスフィルタ６は、マルチプレクサ３によって出力された電気信号から強度変調信号の周波数を含む周波数帯域の信号成分を取り出して、Ａ−Ｄ変換器７に出力する。Ａ−Ｄ変換器７は、バンドパスフィルタ６の出力をディジタル信号に変換してＣＰＵ１に出力する。
【００３４】
図３は、バンドパスフィルタの周波数特性の例を示す説明図である。図３に示すように、バンドパスフィルタ６は、強度変調信号の周波数が通過帯域に含まれるような周波数特性を有する。
【００３５】
遮断物体がない場合には、検出器２１，２２によって図２（ｃ）に示す電気信号が出力されるので、バンドパスフィルタ６によって、検出器２１，２２の出力信号から強度変調信号の周波数を含み周波数帯域の信号成分（数ＭＨｚ〜数１０ＭＨｚの周波数の信号成分（発振信号と同様の帯域の信号成分））を取り出すことができる。遮断物体がある場合には、ＬＥＤ１１，１２と検出器２１，２２との間が遮断されるので、検出器２１，２２から電気信号が出力されず、バンドパスフィルタ６を用いても強度変調信号の周波数の信号成分は取り出されない。
【００３６】
また、外乱光が存在する場合、遮断物体がないときには、やはり検出器２１，２２によって図２（ｃ）に示す電気信号が出力されるので、バンドパスフィルタ６によって、検出器２１，２２の出力信号から強度変調信号の周波数の信号成分を取り出すことができる。一方、遮断物体がある場合には、外乱光の影響により、ＬＥＤ１１，１２と検出器２１，２２との間が遮断されているにもかかわらず、検出器２１，２２から電気信号が出力されうる。しかし、外乱光の影響により赤外線信号が検出された場合には、検出器２１，２２からは強度変調が施されていない電気信号が出力されることになるので、バンドパスフィルタ６を用いても強度変調信号の周波数の信号成分は取り出されない。よって、バンドパスフィルタ６によって強度変調信号の周波数の信号成分が出力されるか否かにより、外乱光の影響がある場合であっても、正確に入力操作の検出信号をＣＰＵ１に伝えることができる。
【００３７】
ＣＰＵ１は、バンドパスフィルタ６が出力してＡ−Ｄ変換された電気信号に基づいて、強度変調の周波数帯域の信号成分の出力がなかった検出器２１，２２に対応する表示画面上の座標を検出することによって、タッチパネル上における指等を用いた入力座標を特定することができる。
【００３８】
次に、動作について説明する。図４は、図１に示すタッチパネル装置のより詳細な構成を示すブロック図である。図４に示すように、マルチプレクサ２は、ＬＥＤ１１，１２を選択して切り替えて、いずれかのＬＥＤ１１，１２に強度変調後の入力信号を出力する構成を有する。また、マルチプレクサ３は、検出器２１，２２を選択して切り替えて、いずれかの検出器２１，２２の検出信号をバンドパスフィルタ６に出力する構成を有する。
【００３９】
図５は、ＣＰＵ１が実行するタッチパネルの入力検出処理の一例を示すフローチャートである。この実施の形態では、ＣＰＵ１は、図５に示す入力検出処理を繰り返し実行することによって、タッチパネルからの入力操作の有無を常に監視している。
【００４０】
入力検出処理において、ＣＰＵ１は、まず、所定の変数ｉに１を設定する（ステップＳ１１）。変数ｉは、現在何番目のＬＥＤ１１，１２及び検出器２１，２２について処理を実行しているかを示す変数である。
【００４１】
次いで、ＣＰＵ１は、変数ｉの設定値に基づいて、マルチプレクサ２にｉ番目のＬＥＤ１１，１２を選択させるとともに、マルチプレクサ３にｉ番目の検出器２１，２２を選択させる（ステップＳ１２）。すると、マルチプレクサ２は、ＣＰＵ１の指示に従って、ｉ番目のＬＥＤ１１，１２を選択し接続を切り替える。また、マルチプレクサ３は、ＣＰＵ１の指示に従って、ｉ番目の検出器２１，２２（ｉ番目のＬＥＤに対向する位置に配置されている検出器）を選択し接続を切り替える。そして、マルチプレクサ２によって選択されたＬＥＤ１１，１２に強度変調後の入力信号が入力され、ＬＥＤ１１，１２から赤外線ビームが発光されることになる。
【００４２】
なお、ステップＳ１１を実行した後すぐにステップＳ１２を実行する場合には、変数ｉには値１が設定されているので、１番目のＬＥＤ１１，１２及び１番目の検出器２１，２２が選択される。この実施の形態では、１番目のＬＥＤとして、表示部１０の表示画面の縦方向の辺に配置されたＬＥＤ１１のうち１番上側に配置されているものを選択するものとする。そして、以降、変数ｉの値が１ずつ加算されるに従って、縦方向の辺に配置されたＬＥＤ１１が上側から順番に１つずつ選択されていくものとする。また、表示画面の縦方向の辺に配置された全てのＬＥＤ１１が選択され終わると、次に表示画面の横方向の辺に配置されたＬＥＤ１２が、変数ｉの値が１ずつ加算されるに従って左側から順番に１つずつ選択されていくものとする。
【００４３】
また、この実施の形態では、１番目の検出器として、表示画面の縦方向の辺に配置された検出器２１のうち１番上側に配置されているもの（１番目のＬＥＤ１１に対向する位置に配置されている検出器）を選択するものとする。そして、以降、変数ｉの値が１ずつ加算されるに従って、縦方向の辺に配置された検出器２１が上側から順番に１つずつ選択されていくものとする。また、表示画面の縦方向の辺に配置された全ての検出器２１が選択され終わると、次に表示画面の横方向の辺に配置された検出器２２が、変数ｉの値が１ずつ加算されるに従って左側から順番に１つずつ選択されていくものとする。
【００４４】
なお、上記に示したＬＥＤ１１，１２及び検出器２１，２２の選択の順番は一例であって、ＬＥＤ１２および検出器２２を右側から順に選択するようにする等、他の選択順に従ってもよい。
【００４５】
次いで、ＣＰＵ１は、選択した検出器２１，２２が赤外線ビームを受光したか否かを確認する（ステップＳ１３）。具体的には、ＣＰＵ１は、バンドパスフィルタ６から信号成分を入力したか否かを判定する。この場合、指等でタッチパネルを触れる等の入力操作が行われていなければ、選択した検出器２１，２２がＬＥＤ１１，１２から発光された赤外線ビームを受光しているはずであるから、ＣＰＵ１は、バンドパスフィルタ６からＡ−Ｄ変換器７を介して強度変調信号の周波数の信号成分（有意な信号）を入力することになる。入力操作が行われていれば、選択した検出器２１，２２とＬＥＤ１１，１２とが遮断され赤外線ビームを受光できないはずであるから、ＣＰＵ１は、バンドパスフィルタ６からＡ−Ｄ変換器７を介して有意な信号を入力できないことになる。
【００４６】
一方、外乱光の影響がある場合には、入力操作が行われていても検出器２１，２２が赤外線を受光してしまう可能性がある。しかし、受光した赤外線信号に強調変調信号の周波数の信号成分が含まれていないので、ＣＰＵ１は、バンドパスフィルタ６から有意な信号を入力できないことになる。従って、ステップＳ１３において、ＣＰＵ１は、外乱光の影響の有無にかかわらず、入力操作が行われていれば有意な信号を入力しないことになり、入力操作が行われていなければ有意な信号を入力することになる。
【００４７】
ＣＰＵ１は、バンドパスフィルタ６から信号成分を入力した場合（すなわち、入力操作が行われなかった場合）には、そのままステップＳ１５に移行する。バンドパスフィルタ６から信号成分を入力しなかった場合（すなわち、入力操作が行われた場合）には、ＣＰＵ１は、選択したＬＥＤ１１，１２および検出器２１，２２に対応する入力座標を検出する（ステップＳ１４）。
【００４８】
この実施の形態では、例えば、表示画面の縦方向に配置されたＬＥＤ１１および検出器２１に対して予め上側から順番に座標Ｘ＝０，１，２，・・・が割り振られている。従って、ＣＰＵ１は、縦方向に配置されたＬＥＤ１１および検出器２１を選択したときにバンドパスフィルタ６から信号を入力しなかったときには、対応するＸ座標の座標値を検出することになる。また、例えば、表示画面の横方向に配置されたＬＥＤ１２および検出器２２に対して予め左側から順番に座標Ｙ＝０，１，２，・・・が割り振られている。従って、ＣＰＵ１は、縦方向に配置されたＬＥＤ１２および検出器２２を選択したときにバンドパスフィルタ６から信号を入力しなかったときには、対応するＹ座標の座標値を検出することになる。
【００４９】
次いで、ＣＰＵ１は、変数ｉの値を１加算し（ステップＳ１５）、変数ｉの値がＬＥＤ１１，１２の合計数ｎ（検出器２１，２２の合計数でもある）より大きいか否かを判定する（ステップＳ１６）。変数ｉの値がｎ以下であれば、全てのＬＥＤ１１，１２および検出器２１，２２について処理を終了していない場合であるので、ステップＳ１２以降の処理を繰り返し実行する。変数ｉの値がｎより大きければ、全てのＬＥＤ１１，１２および検出器２１，２２について処理を終了した場合であるので、ステップＳ１１の処理に戻る。
【００５０】
以上に説明したように、本実施の形態によれば、受光側で強度変調信号の周波数の信号成分を検出することにより遮断物体の有無を検出することから、外乱光の強度が高い場合であっても座標位置を検出することができ、外乱光の影響による誤動作の割合を低減できる。また、この実施の形態によれば、水晶振動子４の発振信号についてレベル変換処理を施した電気信号（強度変調信号）に基づいて発光する。そして、受光側で強度変調信号の信号成分をバンドパスフィルタ６を用いて取り出せるか否かを確認することによって、入力操作の有無を検出する。そのため、増幅器や復調器等を設けなくても、外乱光の影響を受けずに入力操作の有無を検出することができ、タッチパネル装置の構成の複雑化やコスト増を防止することができる。従って、外乱光による影響がある場合であっても簡易な方法で位置検出を可能とし、外乱光の影響による誤動作の割合を低減することができる。
【００５１】
なお、この実施の形態では、ＬＥＤ１１，１２および検出器２１，２２を順次選択する順次選択方式を例にしたが、ＬＥＤ１１，１２を一斉に発光させ、検出器２１，２２の検出信号をを一斉に入力して位置検出を行う一斉方式にも本発明を適用できる。
【産業上の利用可能性】
【００５２】
本発明は、光学方式を用いたタッチパネル装置に好適に適用できる。
【図面の簡単な説明】
【００５３】
【図１】本発明によるタッチパネル装置の構成例を示すブロック図である。
【図２】入力信号および強度変調信号を説明するための説明図である。
【図３】バンドパスフィルタの周波数特性の例を示す説明図である。
【図４】タッチパネル装置のより詳細な構成を示すブロック図である。
【図５】ＣＰＵが実行するタッチパネルの入力検出処理の一例を示すフローチャートである。
【図６】赤外線遮断検出方式によるタッチパネル装置の構成例を示すブロック図である。
【符号の説明】
【００５４】
１          ＣＰＵ
２，３      マルチプレクサ
４          水晶振動子
５          変調器
６          バンドパスフィルタ
７          Ａ−Ｄ変換器
１０        表示部
１１，１２  ＬＥＤ
２１，２２  検出器
【図１】
2008059123.tif 000003
【図２】
2008059123.tif 000004
【図３】
2008059123.tif 000005
【図４】
2008059123.tif 000006
【図５】
2008059123.tif 000007
【図６】
2008059123.tif 000008